(57)【要約】湿度感受性制御装置（デバイス）は液体、ガスおよび水蒸気透過性の少なくとも１つの面を有するパッケージからなり、ａ）５から５０重量％の吸湿性ポリアクリレートおよび／またはＰＶＡポリマー、ｂ）１０から６０％の、バーミキュル石及びパーライトのような多孔質シリカ鉱物、ｃ）５から５０％の、ゼオライトや活性炭のようなアンモニアのような小分子のための吸収剤およびｄ）５から６０重量％の、１種以上の殺細菌性、殺真菌性または臭気マスキング化合物の活性成分の混合物を共に混合することによって形成される。該装置（デバイス）は種々の湿度条件下で臭気を除き、かつマスクするのに有効である。【特許請求の範囲】
【請求項１】
少なくとも１つの多孔質表面を有するパッケージであって、前記パッケージが
ａ）５から５０重量％の水および／または水蒸気吸収剤
ｂ）１０から６０％の水蒸気吸収および放出剤
ｃ）５から５０％の小分子のための吸収剤ならびに／または
ｄ）５から６０重量％の、粒状成分中に含浸された臭気マスキング化合物の混合物のエマルションもしくは溶液ならびに／または
ｅ）最高１０重量％の水蒸気活性化活性成分
を共に混合することによって形成された該粒状混合物を含むパッケージ。
【請求項２】
成分ａ）が１５から５０重量％の量で存在する吸湿性ポリマーである液体廃棄物の制御に用いるための請求項１記載のパッケージ。
【請求項３】
成分ｂ）が１０から３０重量％の量で存在する１種以上の多孔質シリカ鉱物である請求項２記載のパッケージ。
【請求項４】
成分ａ）が５から１５重量％の量で存在する吸湿性ポリマーである請求項１記載のパッケージ。
【請求項５】
成分ｂ）が２０から６０重量％の量で存在する１種以上の多孔質シリカ鉱物である請求項４記載のパッケージ。
【請求項６】
少なくとも１つの多孔質表面を有する湿度感受性装置であって、前記装置が
ａ）５から５０重量％の、ポリマーの乾燥質量の多重倍の水を吸収し得る吸湿性ポリマー
ｂ）１０から６０％の二酸化ケイ素、パーライトまたはバーミキュル石
ｃ）１５から５０％のゼオライトまたは活性炭および任意に
ｄ）５から６０重量％の、殺細菌剤、殺真菌剤または臭気マスキング化合物から選ばれた少なくとも１種の活性化合物を少なくとも０．０１重量％含有するエマルションまたは溶液
を共に混合することにより形成された粒状吸収剤を含む装置。
【請求項７】
ａ）吸収剤自身の重量の多重倍の水を吸収し得る５から５０重量％の水および／または水蒸気吸収剤
ｂ）１０から６０％の水蒸気吸収および放出剤
ｃ）５から５０％の小分子のための吸収剤
ｄ）ならびに任意に最高１０％の活性成分
からなる組成物。
【請求項８】
ａ）５から５０重量％のポリアクリレート／ポリアルコールコポリマー
ｂ）１０から６０％の二酸化シリコン、パーライトまたはバーミキュル石
ｃ）１５から５０％のゼオライトまたは活性炭および任意に
ｄ）最高１０％の活性成分
からなる組成物。
【請求項９】
請求項７または８記載の組成物を内部の幾つかの区画に配分した死体容器。
【発明の詳細な説明】
【０００１】
発明の分野
本発明は、ペット、家庭の廃棄物、かび、煙草、エンジン廃ガス、調理、ヒトの汗および動植物の分解によって生じた臭気および他の揮発物を除去及びマスクするための種々の用途において、とくに臭気を吸収し放出する媒質に用いるための、温度変化に敏感な水分制御組成物に関する。
【０００２】
発明の背景
従来家庭環境における臭気制御は、臭気源を除くために空気清浄器でマスクするかまたは汚染面を洗浄にすることによって行われている。悪臭を放つ液体の吸収も幾らか成功している。
【０００３】
この方法の典型的なものは米国特許第５８１９６８８号の発明であって、同発明はアクリルラテックスで結合させ、かつゼオライト鉱物を含有するセルロース繊維のマットを開示している。このマットは風乾して再使用できるとクレームされている。問題は乾燥条件下またはパッドが飽和している場合にパッドから臭気を放出させることにある。
【０００４】
米国特許第５８９１２２１号は過マンガン酸塩および炭酸塩またはリン酸塩溶液を含浸させた中空の吸い上げ繊維を利用する臭気濾過装置を開示している。これを空気流中においてガス状臭気を除く。空気流が流れるフィルター内に置かれた繊維の中をこの溶液が流れる。これは種々の家庭的及び工業的臭気問題には不適当な大規模装置である。
【０００５】
米国特許第５９４４８７３号は活性炭素を用いる有害ガス吸収剤を包含するガスマスクを開示し、その中に吸収されたガスが警報信号に従って臭気物質を置換する。
【０００６】
他の工業規模の装置が米国特許第５２３６８７８号に開示されており、該発明は触媒成分を含浸させたゼオライトからなる臭気吸収剤を開示している。吸収された物質は加熱により脱着して吸収剤を再生させる。本発明の目的は、使用するのに効果的で便利な液体、揮発物および臭気を吸収する装置を提供することにある。
【０００７】
発明の簡単な説明
この目的のために、本発明は少なくとも１つの多孔質表面を有し、好ましくは液状及びガス状汚染物の吸収剤装置（デバイス）として用いられるパッケージを提供し、前記パッケージは
ａ）５から５０重量％の水および／または水蒸気吸収剤
ｂ）１０から６０％の水蒸気吸収及び放出剤
ｃ）５から５０％の小分子のための吸収剤ならびに／または
ｄ）５から６０重量％の粒状成分中に含浸された臭気マスキング及び中和化合物の混合物のエマルションもしくは溶液ならびに／または
ｅ）最高１０重量％の水蒸気活性化活性物質
を共に混合することによって形成された該粒状混合物を含む。
【０００８】
驚くべきことに、この装置は湿潤及び乾燥雰囲気条件下で液状よびガス状廃棄物を吸収し、そして臭気マスキングおよび中和化合物を放出する。この効果は、水蒸気及び臭気化合物の吸収ならびに水蒸気及び活性物の放出を促進する場合の粒状ブレンド表面の相乗的相互作用によるものであろう。本発明は、その多くが悪臭の原因である気相または蒸気相分子の放出、空気中搬送および知覚に水蒸気が著しい影響を有するという認識に一部は基づいている。高相対湿度下では揮発物および悪臭を放つ化合物の吸収が増し、低相対湿度下では臭気マスキング化合物の放出が増大するように思われる。本発明は、湿度が変動し、そして気相または蒸気相の分子の吸収および／または放出を必要とする場合に利用される。本発明によってもたらされる水蒸気制御はシリカゲルによってもたらされるものよりもすぐれており、その必要量は同じ用途において必要とされるシリカゲルの重量の１０％程度である。このように本発明の組成物は、電気及び電子的装置を包装する場合、また印刷機や写真複写機の給紙機構のように湿度が機械の性能に影響することがあるような状況下で用いることができる。
【０００９】
とくに本発明は、ペットの盆、取り皿、箱および戸棚の脱臭剤、棺桶、柩、死骸袋および死体埋葬所、空調システム、食料の貯蔵及び輸送容器、揮発物およびガス状物質を有する工業プラント、廃棄物処理容器及びごみ箱を含む微生物の作用ならびに分解によって生じる臭気の制御に適用可能である。
【００１０】
また本発明は、通常吸収された廃棄物に付随する細菌や真菌の微生物作用をも低下させる。これは明らかに空気中に相対湿度として形成される有効な水および水蒸気の減少によって影響され、そして装置周囲の空間内の相対湿度のこの低下が細菌及び真菌の成長を遅延させるための重要な条件である。細菌及び真菌の作用は吸収剤の活性面上やその周辺の空間内や腐敗しつつある物質の開放面上の活性化合物との接触によっても阻止される。このように本発明の装置は真菌、特にかびまたはバクテリアの成長を緩慢にさせるのに有効である。熱帯の湿潤地方では、かび、他の真菌および藻類さえも食器棚や舟形容器のような密封設備内で増殖する。本発明の装置によって、木材腐敗物、かび及び藻類の粘質層の発育を助長させずに食器棚や舟形容器を密閉施錠することができる。水及び水蒸気吸収剤は、超吸収度と呼ぶことができる、概してその質量の多重倍の水または水蒸気の吸収が可能な吸湿性ポリマーが好ましい。好ましい種類の超吸収性ポリマーは、Ｃｒｙｏｖａｃから市販され、それ自身の質量の最大４００倍の水を吸収することができるようなポリアクリレート／ポリアルコールコポリマーである。任意に塩化カルシウムのような他の吸湿性物質を含むこともできる。適用が、限られた空間内の臭気を制御するだけの場合には、ポリマー含量は５から２０重量％であることができるが、液状廃棄物をも処理しようとする場合にはその含量は通常１５から６０重量％である。
【００１１】
水蒸気吸収及び放出剤は、好ましくは二酸化ケイ素、パーライト［脱水剥片性ガラス状シリカ含有物質］および／またはバーミキュル石［水和シリケートクレーまたはモンモリロナイト］である多孔質シリカ含有成分が好ましい。これらはその高多孔性、極めて大きな有効表面積および高毛管上昇に基づいて選択される。毛管上昇は粒子の体積比に対して著しく表面積を増す。本発明は、パーライトのようなシリカ含有物質が吸湿性ポリマーと相互作用して湿度の変化に対する吸収剤ブレンドの感度を向上させるという発見に、一部は基づいている。これは水に対するポリマーの親和力を増すように思われ、そして水蒸気の質量流量を促進させてポリマーの中へまたは外から蒸発させる。
【００１２】
本発明の分子吸収剤は酸素捕捉剤ならびに／または微粉ゼオライト、好ましくはクリノプチロリライト、モルデナイト、アタパルガイトおよび／もしくは活性炭からなる。この酸素捕捉剤は、存在する酸素を永久に除こうとする場合に用いられる。好ましい酸素捕捉剤がＥｖｅｒｆｒｅｓｈという商品名でＡｕｓｔｒａｌｉａのＣｒｙｏｖａｃから市販されている。ゼオライトまたは活性炭は酸素を吸収するが、バランスが持続されなければ再びそれを放出しやすい。分子吸収剤はアンモニア、アミン類のような窒素化合物、カチオン化合物及びこれらの塩類を吸収する能力で選ぶのが好ましい。これらの化合物は分解の通常の成り行きである。しかし硫黄化合物を制御するような特定の用途には、分子吸収剤は硫黄含有ガス及び蒸気を吸収する能力で選ばれる。さらに高多孔度、化学、結合効果、粒度及び広い有効表面積も重要な特性である。
【００１３】
すべての粒状成分の場合に粒度および表面積が性能に影響する。流通用途における分子吸収剤の場合には、その粒度を大きくすると、揮発物及び臭気分子を吸収する能力及び親和力に影響を与えることも低下させることもなくサッシェを流通する空気流の制減を減少させた。多孔性シリカ質成分の場合には、表面積を大きくすると毛管上昇および、エマルションまたは溶液中の活性物を放出する速度を大きくする。
【００１４】
分子吸収剤のガス結合能力は意外なことに湿潤条件及び高温下の方が効果的である。これは、装置周囲の相対湿度を低下させると、臭気分子の多くは水蒸気分子ならびにシリカ及び吸湿性ポリマーと結び付いて、望ましくない臭気の原因であるガスの吸収を増すことによるものと思われる。
【００１５】
各粒状成分の平均粒度のみならず粒度分布がパッドの性能に影響する。これは用途ごとに単純な試行を行うことによって調整することができる。用途によっては、３種類の粒状成分のそれぞれの相対粒度が性能に影響することもあり、あらためてこれも比較試験によって調べることができる。
【００１６】
エマルションまたは溶液は、活性剤として１種以上の殺細菌性、殺真菌性、殺虫性、または臭気マスキングもしくは中和性化合物を含有する。これらはカンファー、メントール、パイン、ユーカリプトおよびＴｉ−ｔｒｅｅ油、テルペノイド類、フェニルプロパノイド類、芳香族アルコール、硫黄化合物及び小分子量の置換イソプレン類または他の揮発性化合物を含む精油化合物のような入手可能なテルペン形化合物から選ばれる化合物の混合物を含むことができる。本明細書で使用されるテルペン化合物という用語はテルペン類［Ｃ１０Ｈ１６］セスキテルペン類、ジテルペン類及び高級ポリマー、さらにアルコール類、ケトン類及びカンファー類のようなテルペン炭化水素から誘導される酸素含有化合物からなる合成及び天然の付臭剤を含む。
【００１７】
臭気をマスキングもしくは中和する化合物の溶液またはエマルションは純水から形成させるのが好ましいが、油またはアルコール溶液とすることもできる。活性物として油または他の非水溶剤を用いる場合には、それが粒子の水蒸気置換作用を阻害しないことを確かめるように注意しなければならない。ベニバナ油のような油が適当であることが認められている。大部分の臭気マスキングまたは中和化合物は水溶性ではなくて油溶性であり、エマルションの水相中に微小油滴の懸濁液を持続させる適当な乳化剤で乳化させる必要があるかもしれない。若干の臭気マスキングまたは中和化合物は水に対する幾らかの溶解度を有するので、水性成分の表面張力を低下させるために洗剤を用いることもできよう。この成分は香料を含むこともできる。エマルションまたは溶液は０．０１重量％の活性化合物から最高６０重量％の乳化剤、洗剤または他の界面活性剤を包含する。エマルションまたは溶液は、１／５から１／５０の希釈比を得るまで水を加えることによって希釈した少なくとも０．５％の活性物を含む濃縮物から形成させることができる。この希釈したエマルションまたは溶液を通常１０から７０重量％の比率で乾燥粒状成分に加わえる。さらさらした粒状配合物または粉末に戻す混合物を生成させる場合にはエマルションまたは溶液を最後の成分として加えるのが好ましい。最終粒状混合物中の活性成分含量は少なくとも０．００６重量％である。活性成分の選択は吸収成分から吸収および放出させる感受性を考慮に入れなければならない。小分子の吸収剤は揮発性活性物の放出に影響しないように注意を払う必要がある。
【００１８】
存在する臭気を効果的にマスキングまたは中和するには湿度が低い場合には、吸収剤の水吸収能力のために、臭気マスキングまたは中和化合物を気相に移す。湿度および／または温度が高い場合には、臭気は装置周囲の空気中の水蒸気とともに吸収される。
【００１９】
本発明の装置は、臭気マスキングまたは中和化合物のみならず、任意に、昆虫、節虫動物、クモ形動物、細菌、真菌、藻類を駆除する殺生物性、または臭気除去性、または芳香性もしくはアレルギー低下性を有する他の活性剤を含むことができる。これらは短鎖脂肪族アルコール、ソルビン酸、クエン酸および安息香酸を含む低分子量有機酸、尿素、ジメチルスルホキシド、または二酸化硫黄を生成させるメタ重亜硫酸塩を含むことができる。ダストマイト（ｄｕｓｔ  ｍｉｔｅｓ）からのアレルギーが問題となる場合には茶抽出物、タンニン酸化合物またはチオシアネート類を補助成分として用いることができる。さらにアレルギー活性は湿度にも関係し、本発明の吸収剤系は効果的な送出システムとして働く。必要な場合にはエマルションの凝固点を低下させるために、無機塩類またはポリオールを包含させることもできる。食料とともにパッドを用いる場合には活性物は認可された食品添加物及び補助薬から選択する。
【００２０】
活性物がメタ重亜硫酸塩の場合のように活性化された水蒸気の場合には、水相を加えることは不必要である。
好都合なことに本発明の装置は微粉状の吸収剤を含有するパッケージである。パッケージの表面の少なくとも一部分は多孔質でガス、水ならびに他の蒸気及び液体を容易に透過させる。用途によっては、パッケージは両面バッグもしくはサッシェであるか、または硬質カセットに収容するか、または一面を不透過性にすることができる。パッドを水平面と接触させて適用しようとする場合には、両面接着テープが好適に適用でき、かつ乳化された液体によって付着が限定されない一面を不透過性ラミネートシートとして有することが好ましい。
【００２１】
パッドが多量の流体また水を吸収することが望ましい場合には、該パッドは多量の吸湿性ポリマー［ポリアクリレート／ポリアルコールコポリマー］を有し、そしてたとえば食事小皿用、失禁用、及びペットの寝藁トレー用等の吸収剤として有用である。他の用途では、両面がガス、揮発物及び液体に対して透過性であることができる。これらは車両または建物の空調のような気流衝撃用途に有用である。空調用途では分子吸収剤が高濃度である。流通用途では粒状成分の粒度が大きいと、パッド内の空気の流通を促進させるためにより適切であることが判明した。
【００２２】
好ましい透過性物質は混合後最小の吸収剤粒子の保持可能な細孔径を有する不織布である。ティーバッグに用いられる物質が透過性物質として適当である。不透過性バッキングシートが必要な場合には、透過性シートに容易に接着またはヒートシール可能なラミネートを含む物質を用いることができる。食品グレードの不透過性シートが本発明において用いられており、ペットの寝藁トレーのベースをライニングするのに適当である。
【００２３】
この混合物を作る場合には、３種類の粒状成分を混合した後溶液またはエマルションを加えるのが通常便利である。溶液の添加は、混合及び包装中微粒子を拘束して、その損失を防ぐのでの混合物処理が改善される。
【００２４】
使用時にはパッドは通常処理する空間上部に多孔質面を下向きに配置する。しかし空調ダクトのカセットまたは電気もしくは電池で発生させた熱活性化臭気放出装置に用いる場合には、パッドは垂直に挿入することができる。空調ダクトの場合には、多重パッドのフィルターのカセットは気流に対して斜めに置く必要がある。
【００２５】
該パッド（単独もしくはシート状）、マット、またはフィルターは広範囲の用途、すなわち部屋、食器棚、皿洗い器、冷蔵庫、空調、ごみ箱、食品輸送容器の臭気制御用、輸送容器等、電子基板、写真複写紙トレーの水分調節用、美術保存時の揮発物及び水分調節用に用いることができ、該用途は圧縮または注入空気ならびにクリマクテッリクおよび他の果実の貯蔵時、ならびに食品輸送及び貯蔵用の微生物体及び生物体および／またはガス及び他の揮発物の管理を含む。
発明の詳細な説明
本発明の種々の形態を下記実施例において説明する。
【００２６】
下記実施例で用いたポリマーはＳｔｏｃｋｈａｕｓｅｎ  ＡＰ８５−３８（無害の白色で安定なポリアクリレート／ポリアルコールコポリマー）である。水に不溶であるが、質量の最大４００倍の水を吸収することができる。
【００２７】
使用したパーライトはＦｅｒｎｚ  Ｐ８２００（−２５℃ないし１００℃で安定な発泡性白色天然鉱物）である。その密度は４５から７５ｋｇ／ｍ３の範囲にある。該品は高表面積、高多孔度、５分間で１３ｍｍ／分の毛管上昇、ならびに約６０容量％の水及び油吸収能力を有する。
【００２８】
下記実施例で用いたゼオライトはＱｕｉｒｉｎｄｉのＣａｓｔｌｅ  Ｍｏｕｎｔａｉｎ  Ｚｅｏｌｉｔｅｓから得た。該品はピンク色の微粉末で、５．７のＳｉＯ２：Ａｌ２Ｏ３比、２８−３９ｍ２／ｇの表面積および最大５００ｍｅｑ／１００ｇのアンモニアガス吸収度を有する。その官能性はメタン、アンモニア、硫化水素ならびにアンモニア性化合物たとえばアミン類、尿素誘導体及びアンモニウム塩のようなガスならびにナトリウム、カルシウム、マグネシウム、鉄、亜鉛、銅のようなカチオンを吸収することにある。
【００２９】
下記実施例で用いたエマルションは、Ｎａｒｅｌｌａｎ  ＮＳＷ  ＡｕｓｔｒａｌｉａのＯｄｏｕｒ  Ｃｏｎｔｒｏｌ  Ｓｏｌｕｕｔｉｏｎｓ  Ｐ／ＬからＯＣＳ−２４という商品名で市販されている臭気中和複合体の濃縮物を希釈して作った。該複合体は油担体中または水性エマルションとして用いることができる。驚くべきことに、この複合体は、本発明に用いると還元チオール類及びメルカプタン類のような揮発性汚染物質の作用の減少に有効である。該複合体は２２種類の高純度の精油からなり、下記の概略組成（容量単位）を有する。
テルペン類、イソプレノイド、フェニルプロパノイド、        ０．８７５％
メルカプタン化合物を含む天然及び抽出精油
構造的に天然油と同等の化学的に誘導した精油              １１．２７５％
合成油                                                        ３．６％
天然香油                                                    １２．８％
香料成分                                                  ２８．９５％
他の化合物［界面活性剤］                                      ５．３％
両性乳化剤                                                      ５０％
この組成物は、ＵＳＰの無菌試験法により測定して、Ｓ．ａｕｒｅｕｓ，Ｅ．ｃｏｌｉ，Ｐｓ．ａｅｒｕｇｉｎｏｓａ，Ａ．ｎｉｇｅｒおよびＣ．ａｌｂｉｃａｎｓに対する生物致死剤として有効である。とくに指定しない限り濃縮物を純水で１／１０に希釈した。
製造方法
乾燥成分を混合して粒度が確実に平均に分布するようにした後エマルションとブレンドした結果、成分はまだ自由に流動して凝結しなかった。混合物を作る場合には、３種類の粒状成分を混合した後溶液またはエマルションを加えるのが通常便利である。溶液の添加は、微粒子を拘束してその損失を防ぐので、混合及び包装中の混合物の処理を向上させる。バッチ処理する場合にはパーライトのかさ密度を確実に一定にするように注意が必要である。エマルションの添加はパーライトとの相互作用によって制御される。
【００３０】
混合した乾燥成分に液体を加える場合には、
１．使用する混合容器及び貯蔵容器は、製造前、製造中及び製造後に、揮発物の損失を防ぐようにぴったり合った気密蓋で覆わなければならない。
２．空気から水分を除き、かつ揮発物を放出させる傾向及び能力を考えれば、混合物中への水分の侵入の可能性を低下させるために、製造は脱湿及び冷却した空調室内で行わなければならない。
３．製造時、バルクパッドは、平らないしは相互にあまり高く重ねず、ごくわずかな軽い圧力をかけて液体が押出されないように貯蔵しなければならない。
４．パッドに詰める前に粒度の層化がないことを確認すること。
パッドの挙動
本発明の配合物によって作ったパッドの質量は、湿度の変化によって経時的に変化する。絶対湿度は、湿度の上昇に伴って重量が線状に増加するパッドの質量を測定する。
【００３１】
低相対湿度［ＲＨ］［〜２０％］における温度上昇は最初に質量を増大させた後質量を減少させた。これは３つの効果、すなわち質量変化の時間速度、絶対湿度［空気中の水分の質量］、および温度上昇による脱水の合計であるように思われる。
【００３２】
一定の高いＲＨ［〜９０％］における温度上昇は平衡質量を指数的に増大させた。
恒温におけるＲＨの増大はパッドの質量にわずかな増加を示した。高温においてはこの影響は極めて顕著であったが、２０℃未満ではほとんど影響がなかった。３０℃を上回りかつ高ＰＨでは、５℃の温度上昇は初めの重量が２．４グラムであったパッドに対して約１グラムの重量を増すであろう。
【００３３】
水分吸収速度は毛管上昇剤［好ましくはパーライト］の量を増すにつれて増大した。パッドの質量変化の時間速度として測定した吸収速度は同一質量の毛管上昇剤の表面積が増すとともに増大した。
【００３４】
超吸収性ポリマーの比率を増すとパッドの質量変化の大きさを増した。
パッドの質量は２４時間周期でサイクルし、２．４グラムのパッドはごみ箱では１．７グラムから３．５グラム、皿洗い器では１．９から１０グラムに変わる質量を示した。通常パッドは高温低ＲＨの昼間には質量を減少し、低温高ＲＨの夜間には質量を増し、そして通常露点が最大質量の目安である。
【００３５】
一定の１８℃及び５０％ＲＨの空調室のような定常条件ではごみ箱内の２．４グラムのパッドは１．８グラムであったが、３７℃及び＞８０％ＲＨの温室内では質量が３．５グラムに安定した。
【００３６】
熱帯条件ではパッドの最小質量は数日間で徐々に増加した。サイクル振幅は経時的に僅かに減衰する。パッドの日々のサイクル挙動はパッドのすぐ近傍の温度及びＲＨによって非常に変化する。
【００３７】
悪臭の効果的な制御は分子吸収剤［好ましくはゼオライト］の結合能力によって影響される。すべての結合部位が満たされている場合にはパッドは臭気を放出して環境に戻す。臭気制御は臭気マスキング化合物とともに活性成分中の殺（微）生物剤の包含によって改善される。パッドが水分を吸収しているときにはパッドは付随する蒸気相の臭気分子とも結合しており、そしてパッドが水分を放出しているときにはパッドは好ましくは殺（微）生物剤または臭気マスキング化合物のような気相活性物を放出している。
【００３８】
本発明のパッドは電池式または電熱臭気制御装置で用いるためのカセットに最適である。本発明のパッドは該装置に抵抗加熱を加えると急速に質量を減じ、装置の電源を切るとパッドは再び質量を増す。
実施例１
下記成分（乾燥成分の重量％）を用いて吸収剤配合物を作った。
ポリアクリレート／ポリアルコールコポリマー　　　１０
パーライト　　　　　　　　　　　　　　　　　　　６０
ゼオライト　　　　　　　　　　　　　　　　　　　３０
臭気マスキング／中和エマルション　　　　　　　　６０
ついでこの物質を、両面接着テープを適用したＣｒｙｏｖａｃ　Ａｕｓｔｒａｌｉａ　Ｐ／Ｌから供給される食品グレードのラミネートシートの１つの不透過面ならびにＤｅｘｔｅｒ　Ｃｏｒｐｏｒａｔｉｏｎから販売される不織セルロースおよびポリプロピレン紙の透過面を有するサッシェ（ｓａｃｈｅｔ）に包装した。これは優れた湿潤強度を有し、不透過性ラミネートにヒートシール可能である。
【００３９】
ごみ箱には５５×５５ｍｍのサッシェ中に約１グラムの吸収剤を用い、一方大形ごみ容器またはスチレン残渣のある工業作業環境内のごみ箱には７５ｍｍ×７５ｍｍのサッシェ中に約２−２．２グラムを使用した。大きなごみ箱の場合には複数のサッシェを使用する。サッシェは両面接着テープを用いてごみ箱の蓋の下面に接着して、交換が必要な場合には７日から１４日間作用させた。
実施例２
下記成分（乾燥成分の重量％）を用いて吸収剤配合物を作った。
ポリアクリレート／ポリアルコールコポリマー　　　　　１０
パーライト　　　　　　　　　　　　　　　　　　　　　４０
ゼオライト　　　　　　　　　　　　　　　　　　　　　５０
臭気マスキング／中和エマルション　　　　　　　　　　６０
約１．４グラムのこの配合物を実施例１に述べたような５５×５５ｍｍのサッシェ中に入れた。このサッシェを実施例１のように両面接着テープを用いて蓋の下面に取り付けることによって汚れたおむつの箱に使用すると、少なくとも７日間臭気を減少させ、かつ低細菌レベルに保たれた。
【００４０】
臭気を減少させるために、食器棚、衣装戸棚や冷蔵庫内で多孔面を下に向けるかまたは上の棚において使用するには、７５×７５ｍｍのサッシェ中の２−２．５グラムが適当であった。冷蔵庫では該サッシェは１４−２１日間ごとに交換する必要があり、食器棚や衣装戸棚では最高２１日間持ちこたえる。
【００４１】
埋め立て湿地に造った地下パーキング用地からメタン臭気を除く場合には、開放形格子状雨水排水路内の特注ホルダー中にこの配合物のパッドを４個入れると一週間以上効果的であった。
実施例３
下記成分（乾燥成分の重量％）を用いて吸収剤配合物を作った。
ポリアクリレート／ポリアルコールコポリマー　　　　６０
パーライト　　　　　　　　　　　　　　　　　　　　１５
ゼオライト　　　　　　　　　　　　　　　　　　　　２５
臭気マスキング／中和エマルション　　　　　　　　　２０
この混合物を調製して、実施例１のように包装した。サッシェは７５×７５ｍｍで約２．５グラムの吸収剤を含有した。これを臭気を消すために皿洗い器に用いると、効果は７−１４日間持続した。エマルションを６０％に増すと、使用法にもよるが有効寿命は最高６週間まで延びた。
【００４２】
本配合物のサッシェ（ただし２つの透過面を有する）は真空ポンプの空気取り入れ口における水分除去に有効であり、この結果電食を減少させ、かつポンプの寿命およびエア・カーテンの機能性を向上させた。
実施例４
下記成分（乾燥成分の重量％）を用いて吸収剤配合物を作った。
ポリアクリレート／ポリアルコールコポリマー　　　　２０
パーライト　　　　　　　　　　　　　　　　　　　　４０
ゼオライト　　　　　　　　　　　　　　　　　　　　４０
臭気マスキング／中和エマルション　　　　　　　　　６０
この混合物を調製して、実施例１のように包装した。７５×７５ｍｍのサッシェ中に約２−２．２グラムを入れると、衣類ドライヤー及び靴の臭気を除くのに有効であった。ドライヤー中では該サッシェは最高６週間有効であり、靴の場合には条件にもよるが最高３月間有効であった。この組成物のサッシェは、夜間のような休止時間中に機械を工業的にドライクリーニングする際の残留揮発物および付随する臭気を除去するのに効果的であった。
【００４３】
２００×１５０ｍｍのサッシェ中の１０グラムをグリーストラップに用いて悪臭を除去した。該パッドは海産物加工による臭いを消すのにも有効であった。２００×１５０ｍｍのサッシェ中に１０部のエマルションを含んだだけのこのブレンドの変形品７グラムを海産物輸送容器に用いて海産物搭載船の悪臭ならびに汚染を除去した。
【００４４】
すべての場合に多重［３−５］倍の小形パッド［約２グラム］を用いると、さらによい結果が得られた。
実施例５
下記成分（乾燥成分の重量％）を用いて吸収剤配合物を作った。
ポリアクリレート／ポリアルコールコポリマー　　　　１０
パーライト　　　　　　　　　　　　　　　　　　　　６０
ゼオライト　　　　　　　　　　　　　　　　　　　　３０
臭気マスキング／中和エマルション　　　　　　　　　３０
この混合物を調製して実施例１のように包装したが、ただしサッシェは完全に透過性であって不透過性シートを有しなかった。
【００４５】
７５×７５ｍｍのサッシェ中の２．２グラムは家庭用または工業用真空掃除機の脱臭に有効であった。放出排気口を覆った１対のこのサッシェはさらに効果的であった。この用途においてゼオライトのさらに大きな粒度は臭気除去を妨げずに効果的な空気流を示した。このパッドは１週間の連続使用後もなお有効であった。
【００４６】
熱帯条件下では、７５×７５ｍｍサッシェ中２×２−２．２ｇは休日の別荘の清掃中の脱臭を行うのに効果的であって、間欠的または連続使用において最高６時間この機能性を保持した。
【００４７】
このブレンドを７．５グラム含有する２００×１５０ｍｍのサッシェをレンジフードのフィルター近くに置いて脱臭させた。レンジフードのメッシュパッドを覆う７５×７５ｍｍのパッド中２ｇの多重セットはさらに効果的であった。
【００４８】
排気口におけるこの配合物のパッドは商用キッチンにおける調理の煙の再進入を阻止し、農業機械小屋の空気吸入孔における農業薬品の入来レベルを減少させた。
【００４９】
６０部のエマルションを含有するこの配合物の変形品１２．５グラムを２００×１５０ｍｍのサッシェに入れて、そのサッシェを空調装置のフィルターシステム内に置いて悪臭を除いた。
実施例６
下記成分（乾燥成分の重量％）を用いて吸収剤配合物を作った。
ポリアクリレート／ポリアルコールコポリマー　　　　１０
パーライト　　　　　　　　　　　　　　　　　　　　５０
ゼオライト　　　　　　　　　　　　　　　　　　　　４０
臭気マスキング／中和エマルション　　　　　　　　　５０
この混合物を調製して、実施例１のように包装したが、ただしサッシェは実施例５のように完全に透過性であった。
【００５０】
この組成物を車両の空調及び空気口に用いるために調整する。戻り空気口に単一サッシェを備えるのが最適であったが、穴全体に混合物を一様に並べると機能性が向上した。
【００５１】
同様に本配合物および説明のパッドは、圧縮空気シリンダーの充填物内のディーゼル排気およびフッカー装置からの揮発物の除去ならびに養殖および水族館、魚類タンクのような圧縮空気用の空気の品質改善に寄与した。
実施例７
下記成分（乾燥成分の重量％）を用いて吸収剤配合物を作った。
ポリアクリレート／ポリアルコールコポリマー　　　　３３
パーライト　　　　　　　　　　　　　　　　　　　　３３
ゼオライト　　　　　　　　　　　　　　　　　　　　３３
臭気マスキング／中和エマルション　　　　　　　　　２０
この混合物を調製して実施例１のように包装した。
【００５２】
適当な大きさのマット中のサッシェの中のこのブレンド５０グラムをペットの寝藁トレーのライナーとして用いた。トレーを覆う多数の小形パッドはこの場合にもすぐれた性能を示した。エマルションを６０％に増すとマットの臭気制御および有効寿命を向上させた。本発明の寝藁ライナーを日々変えた子猫用敷藁の丈夫な層では１カ月以上有効であった。
実施例８
下記成分（乾燥成分の重量％）を用いて吸収剤配合物を作った。
ポリアクリレート／ポリアルコールコポリマー　　　　１０
パーライト　　　　　　　　　　　　　　　　　　　　４０
ゼオライト　　　　　　　　　　　　　　　　　　　　５０
臭気マスキング／中和エマルション　　　　　　　　　３０
この混合物を調製して実施例１のように包装した。
【００５３】
７５×７５ｍｍのサッシェ中のこのブレンド２−２．５グラムはペット寝藁トレー上部または該トレー密閉箱の天井に取り付ける脱臭剤として有効であった。これは実施例７のライナーとともに用いると少なくとも１か月間効果的であり、それがなくても約７−１０日間有効であった。
実施例９
本発明の組成物はヒトおよび動物の死骸を死体袋や柩に貯蔵中、とくに土葬の場合に墓中の潜在的爆発性ガスおよび悪臭揮発物を制御するのに特に有効である。気密にして脱気した不活性ポリマー容器と組み合わせると、別置および追加の圧力排出弁を含むことも可能な総合収納装置をもたらす。
【００５４】
下記の説明は、該組成物を収納容器の種々の部分に適用して複雑な問題に対する総合的な解決法を示す例を提示するものである。次に８０ｋｇの死骸の腐敗の取扱いを制御するための有効な解決法を示す。
ａ）床吸収剤
床吸収剤すなわちマットレスは収納容器の床に一方を他に熱アニールさせたパッドの２層のマットからなる。通常、これは死骸の下のライニング物質で覆われている。
【００５５】
基層は主に死骸の腐敗によって生じた液体を吸収するためのものであって、Ｄｅｘｔｅｒ　Ｃｏｒｐｏｒａｔｉｏｎから販売される不織セルロースとポリプロピレン紙の透過性の２面を有する２５から１１０個（７５ｍｍ×７５ｍｍ）のサッシェからなるマットであり、５個のサッシェはそれぞれ約６ｇの下記組成物を有する。
ポリアクリレート／ポリアルコールコポリマー　９６
パーライト　　　　　　　　　　　　　　　　　　２
ゼオライト　　　　　　　　　　　　　　　　　　２
臭気マスキング／中和エマルション　　　　　　２０［純水で１／５に希釈］
上層は主に死骸の腐敗の拘束および脱臭のため、ならびに基層の結合能力を増すように水からこれらの部分を有効に濾過するためのものである。これは基層と同一の寸法及びパッド形状のマットであるが、個々のユニットは下記組成物の４−５グラムの質量を有する。
ポリアクリレート／ポリアルコールコポリマー　２０
パーライト　　　　　　　　　　　　　　　　　１０
ゼオライト　　　　　　　　　　　　　　　　　７０
臭気マスキング／中和エマルション　　　　　　５０［純水で１／５に希釈］
腐敗の初期の段階に、この層は水の質量流を生じ、外界温度の変化にサイクルさせることができる。
実施例９ｂ　蓋吸収剤
この蓋吸収剤も、一方を他に熱アニールし、両面接着テープで収納容器の蓋に取り付けたパッドの２層のマットからなる。通常、これは蓋を閉めたときに死骸の上になるように蓋に取り付けたライニング層内に封入されている。
【００５６】
上層は主に腐敗中に発生する低分子量ガスならびに他の悪臭揮発物を含む揮発物を吸収するためのものである。これはＤｅｘｔｅｒ　Ｃｏｒｐｏｒａｔｉｏｎから販売される不織セルロース及びポリプロピレン紙の透過性の２面を有する２５から１１０個（７５ｍｍ×７５ｍｍ）のサッシェからなるマットであり、５個のサッシェはそれぞれ約６ｇの下記組成物を有する。
ポリアクリレート／ポリアルコールコポリマー　２
パーライト　　　　　　　　　　　　　　　　　２
ゼオライト　　　　　　　　　　　　　　　　９６
臭気マスキング／中和エマルション　　　　　１０［純水で１／５に希釈］
下層は主に、水性環境内での腐敗分子の拘束および脱臭ならびにその不均化および化学的中和のためのものである。これは、それぞれが約４−５グラムの、上層と同一の幅のパッド構造及び包装ではあるが、収納容器を密封する前に折り畳まれて減圧弁まで延びる延長フラップよりも長い約２０パッドすなわち４列５パッドの個々のサッシェのマットであって、それを取り付ければ最終の悪臭フィルターとして作用する。この下層は下記組成を有する。
ポリアクリレート／ポリアルコールコポリマー　　２０
パーライト　　　　　　　　　　　　　　　　　　１０
ゼオライト　　　　　　　　　　　　　　　　　　７０
臭気マスキング／中和エマルション　　　　　　　５０［純水で１／５に希釈］
本組成物のパッドまたはマットは湿度の変化に敏感である。限られた試験データから硫化水素臭気自動記録装置によって測定すると収納容器内の脱臭に有効であることが分かる。収納容器からの悪臭の検知または知覚し得る漏洩は、いかなる圧力の弁からのガス放出においても認められなかった。
実施例９ｃ　枕
任意の一組の吸収剤を死骸の頭の下の枕に入れ、たとえば８０ｋｇよりも重い質量の死体において補助的な脱臭を行わせることができる。
【００５７】
下記成分（乾燥成分の重量％）を用いて吸収剤配合物を作った。
組成：
ポリアクリレート／ポリアルコールコポリマー　　２０
パーライト　　　　　　　　　　　　　　　　　　４０
ゼオライト　　　　　　　　　　　　　　　　　　４０
臭気マスキング／中和エマルション　　　　　　　５０［純水で１／５に希釈］
枕に５０個の単一サッシェを充填し、各サッシェは約２．２グラムで透過性の２面を有し、白色の枕カバーで覆われている。
【００５８】
実施例９ａ−９ｃの吸収剤の存在は棺内の腐敗速度を低下させ、液体腐敗生成物を拘束し、また多量のガス状腐敗生成物をも拘束する。初期の脱気は有効な酸素を減少させ、可能な反応性ガスを拘束して確実にこれを除くことができる。死体からの悪臭は通常湿潤条件下では一層悪くなるので、死体内の相対湿度を低下させるには吸収剤の特有の組合せが効果的であって、これによって悪臭ガスよりもむしろ臭気マスキング又は中和エマルションの放出が可能になる。
実施例１０
下記成分（乾燥成分の重量％）を用いて吸収剤配合物を作った。
ポリアクリレート／ポリアルコールコポリマー　　２０
パーライト　　　　　　　　　　　　　　　　　　６０
ゼオライト　　　　　　　　　　　　　　　　　　２０
臭気マスキング／中和エマルション　　　　　　　１０
この混合物を調製して実施例１のように包装した。
【００５９】
２００×１５０ｍｍの大形サッシェ中に用いた７グラムのこのブレンドを果実や野菜の箱に使用した。７５×７５ｍｍの小形パッドで作ったマットはさらに効果的であった。またドリアンの場合に４０−６０％のさらに希釈した［１／５０］エマルションを用いると優れた臭気制御も認められた。
【００６０】
表１には、指示したように希釈した後指定量を加えた１０％エマルションを用いる適当な配合とともに多くの用途を示した。配合物はすべて２グラムで、７５×７５ｍｍパッド中に調製した。表中には補助活性剤の欄がある。
【００６１】
【表１】
2004500224.tif 000002
前記実施例及び説明から、本発明は、電子部品の乾燥保持から、微生物成育の阻止や死体の望ましくない臭気の処置までの諸問題を誘発する湿度を制御するための費用効率の高い便利な手段であることが分かる。
【００６２】
記載した成分種類及び濃度範囲の枠内で、配合について変更及び修正を行うことができる。
【国際公開パンフレット】
2004500224.tif 000003
2004500224.tif 000004
2004500224.tif 000005
2004500224.tif 000006
2004500224.tif 000007
2004500224.tif 000008
2004500224.tif 000009
2004500224.tif 000010
2004500224.tif 000011
2004500224.tif 000012
2004500224.tif 000013
2004500224.tif 000014
2004500224.tif 000015
2004500224.tif 000016
2004500224.tif 000017
2004500224.tif 000018
2004500224.tif 000019
2004500224.tif 000020
2004500224.tif 000021
2004500224.tif 000022
2004500224.tif 000023
2004500224.tif 000024
【国際調査報告】
2004500224.tif 000025
2004500224.tif 000026